(57)【要約】【課題】振出式の柄部（竿部）を有する玉網や振出式釣竿の竿部を短くしてもグリップ性を担保できる釣り用品と予備グリップ部品との組み合わせを提供する。【解決手段】全ての竿部材が振出式に継ぎ合わされて手元部を手で握って操作する釣り用品と予備グリップ部品との組み合わせであって、前記予備グリップ部品Ｇ２はその前端が開口した挿入穴Ｈを有しており、少なくとも全ての竿部材を接続した場合の最も手元側の竿部材以外の竿部材の中の一本の竿部材Ｒ５の後方部を前記予備グリップ部品の前記挿入穴に挿入した状態で、該竿部材の後方側継合部Ｒ５ＴＢの領域を除いた該後方側継合部の後側領域において、該竿部材と前記予備グリップ部品とを互いに締結することの可能な締結手段Ｒ５Ｎ１，ＢＮ２を具備しているよう構成する。【選択図】図２
2008131916.tif 000002
【特許請求の範囲】
【請求項１】
全ての竿部材が振出式に継ぎ合わされて手元部を手で握って操作する釣り用品と予備グリップ部品との組み合わせであって、
前記予備グリップ部品はその前端が開口した挿入穴を有しており、
少なくとも全ての竿部材を接続した場合の最も手元側の竿部材以外の竿部材の中の一本の竿部材の後方部を前記予備グリップ部品の前記挿入穴に挿入した状態で、該竿部材の後方側継合部の領域を除いた該後方側継合部の後側領域において、該竿部材と前記予備グリップ部品とを互いに締結することの可能な締結手段を具備している
ことを特徴とする釣り用品と予備グリップ部品との組み合わせ。
【請求項２】
前記締結手段は、前記後側領域外周に雄ネジ部を具備しており、前記予備グリップ部品の内周に雌ネジ部が具備されており、該雄ネジ部と前記雌ネジ部とが螺合可能である請求項１記載の釣り用品と予備グリップ部品との組み合わせ。
【請求項３】
前記締結手段は、前記後側領域外周に雄ネジ部を具備しており、前記予備グリップ部品の内周に雌ネジ部が具備されており、該雄ネジ部と雌ネジ部との径方向には隙間が存在し、前記予備グリップ部品の後端部に配設される尻栓に、夫々、雌ネジ部と雄ネジ部を具備しており、該尻栓の雌ネジ部が前記後側領域外周の雄ネジ部と螺合し、尻栓の雄ネジ部が前記予備グリップ部品内周の雌ネジ部と螺合する請求項１記載の釣り用品と予備グリップ部品との組み合わせ。
【請求項４】
前記締結手段は、前記後側領域外周に凹部を具備しており、前記予備グリップ部品の内周に凸部が具備されており、該凸部を前記凹部に対して該凹部の後側から前方向に移動させた場合に、該凸部は径方向に圧縮されつつ凹部に至り、該凹部に至れば復元して該凹部と係合し、逆に、凹部と係合状態の凸部を所定以上の力で後方側に押しやれば係合が解除され得る弾力性を有している請求項１記載の釣り用品と予備グリップ部品との組み合わせ。
【請求項５】
全ての竿部材が振出式に継ぎ合わされて手元部を手で握って操作する釣り用品と予備グリップ部品との組み合わせであって、
前記予備グリップ部品はその前端が開口した挿入穴を有しており、
少なくとも全ての竿部材を接続した場合の最も手元側の竿部材以外の竿部材の中の一本の竿部材の後方部を前記予備グリップ部品の前記挿入穴に挿入した状態で、該竿部材の前記後方部の後部領域において、該竿部材と前記予備グリップ部品とを互いに締結することの可能な締結手段を具備し、
該締結手段は、前記後部領域内周に雌ネジ部を具備しており、前記予備グリップ部品の後端部に配設される尻栓に雄ネジ部を具備しており、該雄ネジ部と前記雌ネジ部とが螺合可能である
ことを特徴とする釣り用品と予備グリップ部品との組み合わせ。
【請求項６】
全ての竿部材が振出式に継ぎ合わされて手元部を手で握って操作する釣り用品と予備グリップ部品との組み合わせであって、
前記予備グリップ部品はその前端が開口した挿入穴を有すると共に、該挿入穴はその内径が弾性的に拡径可能な弾力性部材で形成されており、該挿入穴内周にグリップ側係合部を具備し、
少なくとも全ての竿部材を接続した場合の最も手元側の竿部材以外の竿部材の中の一本の竿部材の後方側継合部領域の外周又は該後方側継合部よりも前側領域の外周に、前記グリップ側係合部と係合して該竿部材と前記予備グリップ部品とを互いに締結することの可能な竿部材側係合部を具備している
ことを特徴とする釣り用品と予備グリップ部品との組み合わせ。
【請求項７】
全ての竿部材が振出式に継ぎ合わされて手元部を手で握って操作する釣り用品と予備グリップ部品との組み合わせであって、
前記予備グリップ部品はその前端が開口した挿入穴を有しており、
少なくとも全ての竿部材を接続した場合の最も手元側の竿部材以外の竿部材の中の一本の竿部材の後方部を前記予備グリップ部品の前記挿入穴に挿入した状態で、該竿部材と前記予備グリップ部品とを互いに締結することの可能な締結手段を具備している
ことを特徴とする釣り用品と予備グリップ部品との組み合わせ。
【発明の詳細な説明】
【技術分野】
【０００１】
本発明は、釣り用品と予備グリップ部品との組み合わせに関し、ここでの釣り用品は、振出式に継ぎ合わせされた柄部を有してその先端部に網部を着脱可能に装着できる玉網や振出式の釣竿をいう。
【背景技術】
【０００２】
特に磯釣りにおいて使用される玉網は、魚が釣れた際に迅速に網で救い上げる必要性が生じるため、普段は柄を短く収納して持ち運びを便利にしているが、いざ、使用時には片手でも迅速に柄部を長くできるように振出式に構成している。
【発明の開示】
【発明が解決しようとする課題】
【０００３】
然しながら、磯場の状況によっては、規定の長さを有した玉網では、柄部が長過ぎて、使用し難い場合がある。こうした場合、長い柄部の途中を握って使用しなければならず、非常に不便である。また、振出式の釣竿においても、その長さを短くして使用したい場合も有る。こうした場合にもグリップ性を維持したい。
依って解決しようとする課題は、振出式の柄部（竿部）を有する玉網や振出式釣竿の竿部を短くしてもグリップ性を担保できる釣り用品と予備グリップ部品との組み合わせの提供である。
【課題を解決するための手段】
【０００４】
第１の発明では、全ての竿部材が振出式に継ぎ合わされて手元部を手で握って操作する釣り用品と予備グリップ部品との組み合わせであって、前記予備グリップ部品はその前端が開口した挿入穴を有しており、少なくとも全ての竿部材を接続した場合の最も手元側の竿部材以外の竿部材の中の一本の竿部材の後方部を前記予備グリップ部品の前記挿入穴に挿入した状態で、該竿部材の後方側継合部の領域を除いた該後方側継合部の後側領域において、該竿部材と前記予備グリップ部品とを互いに締結することの可能な締結手段を具備していることを特徴とする釣り用品と予備グリップ部品との組み合わせを提供する。
【０００５】
第２の発明では、前記締結手段は、前記後側領域外周に雄ネジ部を具備しており、前記予備グリップ部品の内周に雌ネジ部が具備されており、該雄ネジ部と前記雌ネジ部とが螺合可能である第１の発明記載の釣り用品と予備グリップ部品との組み合わせを提供する。
【０００６】
第３の発明では、前記締結手段は、前記後側領域外周に雄ネジ部を具備しており、前記予備グリップ部品の内周に雌ネジ部が具備されており、該雄ネジ部と雌ネジ部との径方向には隙間が存在し、前記予備グリップ部品の後端部に配設される尻栓に、夫々、雌ネジ部と雄ネジ部を具備しており、該尻栓の雌ネジ部が前記後側領域外周の雄ネジ部と螺合し、尻栓の雄ネジ部が前記予備グリップ部品内周の雌ネジ部と螺合する第１の発明記載の釣り用品と予備グリップ部品との組み合わせを提供する。
【０００７】
第４の発明では、前記締結手段は、前記後側領域外周に凹部を具備しており、前記予備グリップ部品の内周に凸部が具備されており、該凸部を前記凹部に対して該凹部の後側から前方向に移動させた場合に、該凸部は径方向に圧縮されつつ凹部に至り、該凹部に至れば復元して該凹部と係合し、逆に、凹部と係合状態の凸部を所定以上の力で後方側に押しやれば係合が解除され得る弾力性を有している第１の発明記載の釣り用品と予備グリップ部品との組み合わせを提供する。
【０００８】
第５の発明では、全ての竿部材が振出式に継ぎ合わされて手元部を手で握って操作する釣り用品と予備グリップ部品との組み合わせであって、前記予備グリップ部品はその前端が開口した挿入穴を有しており、少なくとも全ての竿部材を接続した場合の最も手元側の竿部材以外の竿部材の中の一本の竿部材の後方部を前記予備グリップ部品の前記挿入穴に挿入した状態で、該竿部材の前記後方部の後部領域において、該竿部材と前記予備グリップ部品とを互いに締結することの可能な締結手段を具備し、該締結手段は、前記後部領域内周に雌ネジ部を具備しており、前記予備グリップ部品の後端部に配設される尻栓に雄ネジ部を具備しており、該雄ネジ部と前記雌ネジ部とが螺合可能であることを特徴とする釣り用品と予備グリップ部品との組み合わせを提供する。
【０００９】
第６の発明では、全ての竿部材が振出式に継ぎ合わされて手元部を手で握って操作する釣り用品と予備グリップ部品との組み合わせであって、前記予備グリップ部品はその前端が開口した挿入穴を有すると共に、該挿入穴はその内径が弾性的に拡径可能な弾力性部材で形成されており、該挿入穴内周にグリップ側係合部を具備し、少なくとも全ての竿部材を接続した場合の最も手元側の竿部材以外の竿部材の中の一本の竿部材の後方側継合部領域の外周又は該後方側継合部よりも前側領域の外周に、前記グリップ側係合部と係合して該竿部材と前記予備グリップ部品とを互いに締結することの可能な竿部材側係合部を具備していることを特徴とする釣り用品と予備グリップ部品との組み合わせを提供する。
【００１０】
第７の発明では、全ての竿部材が振出式に継ぎ合わされて手元部を手で握って操作する釣り用品と予備グリップ部品との組み合わせであって、前記予備グリップ部品はその前端が開口した挿入穴を有しており、少なくとも全ての竿部材を接続した場合の最も手元側の竿部材以外の竿部材の中の一本の竿部材の後方部を前記予備グリップ部品の前記挿入穴に挿入した状態で、該竿部材と前記予備グリップ部品とを互いに締結することの可能な締結手段を具備していることを特徴とする釣り用品と予備グリップ部品との組み合わせを提供する。
【発明の効果】
【００１１】
第１の発明では、釣り場に赴いた際に、釣り場の状況に応じて、振出式の玉網や釣竿の、手元側の竿部材を所定本数取り外して所定長さに短くし、この短くなった状態の手元側竿部材の後方部を、予備グリップ部品の挿入穴に差し込む。あとは、締結手段によって予備グリップ部材と竿部材とを締結し、短い状態でもグリップ性を担保した使用が可能となる。
【００１２】
第２〜第４の発明では、第１の発明における締結手段の具体例を示す。第２と第３の発明のように、締結手段としてネジ螺合を使用すれば、締結力を大きくでき、信頼性が向上する効果がある。第４の発明のように、弾力性を利用した係合にすれば、迅速に締結できる効果がある。
【００１３】
第５の発明では、第１の発明と同様な作用効果の他、第２や第３の発明のように締結手段としてネジ螺合を使用しているので、締結力を大きくでき、信頼性が向上する。
【００１４】
第６の発明では、第１〜第５の発明に無い位置での係合締結を意図しており、そのために、予備グリップ部品の挿入穴が拡径する必要があり、該挿入穴はそれを可能にさせる弾力性部材で形成されている。こうして、グリップ側係合部と竿部材側係合部を係合させて締結できる。
第７の発明は、第１〜第６の発明の全てを包含する広さの発明である。
【発明を実施するための最良の形態】
【００１５】
以下、本発明につき図面を用いて詳細に説明する。図１は本発明に係る釣り用品と予備グリップ部品との組み合わせの内の釣り用品としての玉網の柄部であり、各竿部材を振出式に継ぎ合わせて柄部を構成する。先部に網部を着脱可能に装着できる第１竿部材Ｒ１から、手元側に向かって第２竿部材Ｒ２、第３竿部材Ｒ３・・・第８竿部材Ｒ８、最も手元側の第９竿部材Ｒ９を順次振出式に継ぎ合わせて柄部を構成する。各竿部材は中空竿部材であり、エポキシ樹脂等の合成樹脂をマトリックスとし、炭素繊維等の強化繊維で強化された繊維強化樹脂製であって、高強度で軽量化となっている。
【００１６】
手元側の竿部材９の後方部領域は、把持感が向上すると共に、滑り難い表面処理等を施されたグリップ部Ｇ１に構成されている。記号Ｓ１は尻栓である。また、第５竿部材Ｒ５の後端部付近の外周には雄ネジ部Ｒ５Ｎ１が形成されている。なお、この例では、第２竿部材Ｒ２〜第４竿部材Ｒ４は同じ長さであって、最も短い。次に長いのが第５竿部材〜第８竿部材Ｒ８であって、これらは同じ長さである。その次に長いのが第１竿部材Ｒ１であり、最も長いのが第９竿部材Ｒ９である。
【００１７】
釣り場において、玉網の柄部構成竿部材の全体から第６竿部材Ｒ６〜第９竿部材Ｒ９を取り外して、柄部を短くして使用する場合、短い状態の手元側竿部材となる第５竿部材Ｒ５の後方部を挿入して締結可能な予備グリップ部品Ｇ２を予め携行している。図２はこの第５竿部材Ｒ５の後方部に予備グリップ部品Ｇ２を装着した状態の部分断面による拡大図である。なお、この例では予備グリップ部品を第５竿部材に装着するが、第９竿部材以外の何れの竿部材に装着可能にしていてもよい。また、１本のみならず、２本以上の竿部材の何れにも装着可能に構成していてもよい。例えば、第５竿部材Ｒ５と第４竿部材Ｒ４の何れにも装着可能に構成してもよい。即ち、第４竿部材の後端部付近外周にも、前記雄ネジ部Ｒ５Ｎ１と同じピッチで同じ径のネジを形成しておくのである。
【００１８】
第５竿部材Ｒ５の後方側継合部Ｒ５ＴＢの領域を除いたその後側領域には、該後方側継合部の外径よりも小さな外径の前記雄ネジ部Ｒ５Ｎ１を形成している。図２以降の各図では、こうした内外径差を誇張して描いている場合がある。一方、予備グリップ部品の本体Ｇ２Ｈの内側であって、挿入穴Ｈの奥部Ｇ２Ｋには、内周に雌ネジ部ＢＮ２を形成した環状部材Ｂを接着等によって一体化させているが、本体Ｇ２Ｈによって一体形成してもよい。第５竿部材Ｒ５はその後方部を予備グリップ部品Ｇ２の挿入穴Ｈに挿入してネジ部同士Ｒ５Ｎ１，ＢＮ２を螺合させる。更には、予備グリップ部品の本体Ｇ２Ｈの内面と第５竿部材Ｒ５の後方側継合部Ｒ５ＴＢとがほぼ当接するように寸法を設定している。このため、特定竿部材（第５竿部材Ｒ５）と予備グリップ部品Ｇ２との締結装着が安定する。特定の予備グリップ部品Ｇ２を、複数本の竿部材、例えば第５竿部材と第４竿部材の２本夫々に対して装着可能に構成している場合、該予備グリップ部品の内面に第５竿部材Ｒ５の後方側継合部Ｒ５ＴＢがほぼ当接する寸法の場合、第４竿部材Ｒ４の場合は細径のため幾分かの隙間が生じる。
【００１９】
図３は、予備グリップ部品と竿部材との締結手段の第２形態例を示す。第５竿部材Ｒ５を例とし、その後方部を予備グリップ部品Ｇ２の挿入穴Ｈに挿入する。この第５竿部材の後方側継合部Ｒ５ＴＢの長さ範囲内であって、その内周に雌ネジ部Ｒ５Ｎ２を形成している。また、この雌ネジ部の内径は、その直ぐ前部の第５竿部材内径よりも大径にしており、第４竿部材Ｒ４を後方に抜き取る際に引っ掛かりを生じないようにしている。一方、予備グリップ部品本体Ｇ２Ｈに設けた尻栓ＳＳは凸部ＳＳＴを有しており、この尻栓凸部の外周には雄ネジ部ＳＳＮ１が形成されており、前記雌ネジ部Ｒ５Ｎ２と螺合する。更には、第５竿部材の後方側継合部Ｒ５ＴＢは予備グリップ部品Ｇ２の内周とほぼ当接するように設定されている。こうして予備グリップ部品を特定竿部材（第５竿部材）に安定状態で締結装着できる。この例では、雌ネジ部Ｒ５Ｎ２は後方側継合部Ｒ５ＴＢの範囲内に設けたが、後方側継合部Ｒ５ＴＢの範囲外に設けてもよい。
【００２０】
図４は、予備グリップ部品と竿部材との締結手段の第３形態例を示す。図２の形態例（第１の形態例）と異なるのは、第５竿部材Ｒ５の雄ネジ部Ｒ５Ｎ１の外径と、環状部材Ｂの内周の雌ネジ部ＢＮ２の内径との間に所定の隙間があり、その間に尻栓ＳＳに突出させた環状部ＳＳＫを介在させて締結することである。該環状部の外周と内周に設けた各ネジ部に対して雌ネジ部ＢＮ２と雄ネジ部Ｒ５Ｎ１とを夫々螺合させて締結させる。その他は、図２の形態例の場合と同様である。
【００２１】
図５は、予備グリップ部品と竿部材との締結手段の第４形態例を示す。第５竿部材の後方側継合部Ｒ５ＴＢの領域を除いたその後側領域に環状の溝Ｒ５Ｍを形成している。一方、予備グリップ部品Ｇ２の挿入穴Ｈの奥部内周には、前記溝に侵入係合できる大きさの凸部ＣＴが弾性変形可能な合成樹脂や硬質ゴムやその他の部材によって形成されている。この凸部を設けるに際して、環状部材Ｃの内周に該凸部を配設し、予備グリップ部品本体Ｇ２Ｈを、底部とその前部とに分割し、前記環状部材Ｃをこの間に挟むようにして接着等によって一体化させて予備グリップ部品を形成させている。
【００２２】
この予備グリップ部品Ｇ２の挿入穴Ｈに第５竿部材Ｒ５の後方部を挿入し、第５竿部材の後端が上記凸部ＣＴに当接した際、所定の力で強く押し込めば、凸部ＣＴは前記環状溝Ｒ５Ｍに係合する。逆に第５竿部材を引き抜く方向に所定以上の力を作用させれば、凸部は環状溝との係合が外れる。また、後方側継合部Ｒ５は予備グリップ部品本体の内面とほぼ当接する寸法に設定されている。こうして予備グリップ部品を特定竿部材（第５竿部材）に安定状態で締結装着できる。
【００２３】
図６は、本発明に係る組み合わせの他の形態例を示す図である。この例では、予備グリップ部品Ｇ２の本体Ｇ２Ｈは、弾性変形可能な合成樹脂やゴム材やその他の部材によって形成されており、その挿入穴Ｈの内径は、一時的に幾分大きくできる。この挿入穴の奥部の適宜位置には、その内周に、グリップ側係合部としての雌ネジ部ＢＮ２を設けた環状部材Ｂを接着剤によって一体化させたり、本体Ｇ２Ｈを射出成形する場合は、射出時に環状部材Ｂを一体化できる。この環状部材Ｂも弾性的に内径を拡径できる必要があり、弾性変形可能な合成樹脂やゴム材やその他の部材によって形成されている。また、該雌ネジ部の内径は本体Ｇ２Ｈの内径よりも小さく形成されている。更には、環状部材Ｂを使用せず、雌ネジ部ＢＮ２を本体Ｇ２Ｈに一体形成してもよい。一方、竿部材Ｒ５の後方側継合部Ｒ５ＴＢの外周には前記雌ネジ部ＢＮ２と螺合可能な、竿部材側係合部としての雄ネジ部Ｒ５Ｎ１を設けている。
【００２４】
以上の構造故、ネジ部同士を螺合させるには、予備グリップ部品の挿入穴Ｈに竿部材Ｒ５の後方部を挿入しつつ、一時的に本体Ｇ２Ｈの挿入穴Ｈと環状部材Ｂの内径を拡径させ、その後、両ネジ部を螺合させて予備グリップ部品Ｇ２と竿部材Ｒ５とを係合締結させる。
予備グリップ部品Ｇ２と竿部材Ｒ５との係合、締結手段は、上記のネジ螺合以外に、図５に示すような凹凸係合としてもよい。更には、図６では竿部材Ｒ５の雄ネジ部Ｒ５Ｎ１の形成位置は、後方側継合部Ｒ５ＴＢの領域内であるが、この領域から出た前側領域であってもよい。また、こうした前側領域において、前述の凹凸係合を使用してもよい。
【００２５】
以上は、予備グリップ部品を１個（１種類）用意していただけであったが、複数種類用意していてもよい。
【産業上の利用可能性】
【００２６】
本発明は、振出式に継ぎ合わせされた柄部を有してその先端部に網部を着脱可能に装着できる玉網や振出式釣竿に利用できる。
【図面の簡単な説明】
【００２７】
【図１】図１は本発明に係る組み合わせの内の玉網の柄部の分解図である。
【図２】図２は図１の柄部を短くした場合に予備グリップ部品を装着させた要部の部分断面による拡大図である。
【図３】図３は図２に代わる第２形態例の図である。
【図４】図４は図２に代わる第３形態例の図である。
【図５】図５は図２に代わる第４形態例の図である。
【図６】図６は本発明に係る組み合わせの他の形態例を示す図である。
【符号の説明】
【００２８】
ＢＮ２                              雌ネジ部
ＣＴ                                凸部
Ｇ２                                予備グリップ部品
Ｈ                                  挿入穴
Ｒ１・・・Ｒ９                      竿部材
Ｒ５Ｍ                              環状溝
Ｒ５Ｎ１                            雄ネジ部
Ｒ５Ｎ２                            雌ネジ部
Ｒ５ＴＢ                            第５竿部材の後方側継合部
ＳＳ                                尻栓
【図１】
2008131916.tif 000003
【図２】
2008131916.tif 000004
【図３】
2008131916.tif 000005
【図４】
2008131916.tif 000006
【図５】
2008131916.tif 000007
【図６】
2008131916.tif 000008